(57)【要約】      （修正有）【課題】使用者の意図を反映した表示が行えるように、映像入力端子と無線インタフェースからの画像表示を表示する際の表示を自動的に切り替える。【解決手段】表示装置において、映像入力端子からの映像信号を表示中に無線インタフェースを介した接続又は切断を検出する検出手段と、前記検出手段により接続又は切断が検出された場合に、前記無線インタフェースを介して送られてきた画像を表示又は非表示する。これにより、例えば、プロジェクタでＰＣの画面を表示中に近接無線通信を持ったデジタルカメラを近づけるだけで、デジタルカメラからの画像をデコードしてＰＣの画面に替えて表示する。【選択図】図２
2010008937.tif 000002
【特許請求の範囲】
【請求項１】
表示装置において、
映像入力端子からの映像信号を表示している際に、無線インタフェースを介した接続又は切断を検出する検出手段と、
前記検出手段により接続又は切断が検出された場合に、前記無線インタフェースを介して送られてきた画像を表示又は非表示するための表示手段と、
を有することを特徴とする表示装置。
【請求項２】
前記映像入力端子からの映像信号と前記無線インタフェースを介して送られてきた画像の一方を選択して映像信号として出力する選択手段を備え、
前記選択手段は、前記検出手段により接続が検出された場合は、前記映像入力端子からの映像信号に替えて前記無線インタフェースを介して送られてきた画像を選択することを特徴とする請求項１に記載の表示装置。
【請求項３】
前記選択手段は、前記検出手段により切断が検出されると、前記無線インタフェースを介して受信した画像に替えて前記映像入力端子からの映像信号を表示することを特徴とする請求項２に記載の表示装置。
【請求項４】
前記映像入力端子からの映像信号の変化を監視する監視手段を備え、
前記監視手段により前記映像信号の変化が一定以上であることを検出した場合は、前記選択手段は、前記映像入力端子からの映像信号を選択することを特徴とする請求項２に記載の表示装置。
【請求項５】
前記映像入力端子からの映像信号と前記無線インタフェースを介して受信した画像の映像信号を合成して出力する合成手段を備え、
前記表示手段は、前記検出手段により接続が検出された場合に前記合成手段より出力される映像信号を表示させることを特徴とする請求項１に記載の表示装置。
【請求項６】
前記合成手段は、前記映像入力端子からの映像信号と前記無線インタフェースを介して受信した画像の映像信号とをピクチャ・イン・ピクチャの形式で合成することを特徴とする請求項５に記載の表示装置。
【請求項７】
前記無線インタフェースの電波強度を判別する判別手段を有し、
前記表示手段は、前記判別手段により判別した電波強度に応じて、前記無線インタフェースを介して送られてきた画像の表示の大きさを変化させることを特徴とする請求項１に記載の表示装置。
【請求項８】
前記検出手段により接続が検出された場合は、前記合成された映像信号に替えて前記映像入力端子からの映像信号を表示することを特徴とする請求項５に記載の表示装置。
【請求項９】
前記映像入力端子からの映像信号の変化を監視する監視手段を備え、
前記監視手段により前記映像信号の変化が一定以上であることを検出した場合は、前記表示手段は、前記合成された映像信号に替えて前記映像入力端子からの映像信号を表示させる請求項５に記載の表示装置。
【請求項１０】
表示装置の制御方法において、
映像入力端子からの映像信号を表示している際に無線インタフェースを介した接続又は切断を検出する検出工程と、
前記検出工程において接続又は切断が検出された場合に、前記無線インタフェースを介して送られてきた画像を表示又は非表示するための表示工程と、
を有することを特徴とする表示装置の制御方法。
【請求項１１】
表示装置により実行されるコンピュータプログラムであって、
前記表示装置に、
映像入力端子からの映像信号を表示している際に無線インタフェースを介した接続又は切断を検出する検出工程と、
前記検出工程において接続又は切断が検出された場合に、前記無線インタフェースを介して送られてきた画像を表示又は非表示するための表示工程と、
を実行させることを特徴とするコンピュータプログラム。
【発明の詳細な説明】
【技術分野】
【０００１】
本発明は、映像信号を入力して表示を行なう表示技術に関する。
【背景技術】
【０００２】
ＰＣの表示画面を複数人数で共通して見る場合にＰＣ（パーソナルコンピュータ）の映像出力をプロジェクタの映像入力に接続してプロジェクタで投影するという方法がある。プロジェクタは一台のＰＣの表示画面を投影するという使い方が主であった。しかしながら、近年では複数人がＰＣを持ちよりプロジェクタで投影するＰＣを切り替えながら会議を進めるといった使い方もされるようになってきた。複数のＰＣを切り替えながら表示する場合には、複数の入力を持つ切替器の映像入力に各ＰＣの映像出力を接続し、切替器のスイッチを操作することによってプロジェクタで投影するＰＣを選択する方法がとられている。この場合、切替器の場所まで行って切替器を操作しなければならないという点で面倒である。特許文献１では、切替器の切替の操作がＰＣの操作者の手元で行なえる技術が開示されている。特許文献２では、切替機能が内蔵されているプロジェクタが開示されている。
【０００３】
また、プロジェクタはＰＣの表示画面でなくデジタルカメラなどの撮像装置の画像も表示することもできる。デジタルカメラの画像を表示する場合はデジタルカメラとプロジェクタをUSBやLANなどのケーブルで接続して画像ファイルをデジタルカメラからプロジェクタへ送信する。プロジェクタでは送られてきた画像ファイルを復号化して表示している。
【特許文献１】特開２００２−１０８３２１号公報
【特許文献２】特開２００６−２３５５１号公報
【発明の開示】
【発明が解決しようとする課題】
【０００４】
しかしながら、従来例では、プロジェクタの投影している映像をＰＣの表示画面とデジタルカメラの画像との間で切り替える場合も切り替えの操作を行なわなければならないという欠点がある。
【０００５】
本発明は、使用者の意図を反映した表示が行えるように、映像入力端子と無線インタフェースからの画像表示を表示する際の表示を自動的に切り替えることが可能な表示技術の提供を目的とする。
【課題を解決するための手段】
【０００６】
上記目的を達成する為に本出願にかかる第一の発明は、表示装置において、映像入力端子からの映像信号を表示中に無線インタフェースを介した接続又は切断を検出する検出手段と、前記検出手段により接続又は切断が検出された場合に、前記無線インタフェースを介して送られてきた画像を表示又は非表示するための表示手段と、を有することを特徴とする。
【発明の効果】
【０００７】
本発明により、簡単な操作で映像入力端子と無線インタフェースからの画像表示を表示する際の表示を自動的に切り替えることができる。例えば、デジタルカメラなどの撮像装置をプロジェクタに近づけたり離したりするだけで投影中の映像と撮像装置の画像と切り替えることができ、煩雑な切り替える操作が省ける。
【発明を実施するための最良の形態】
【０００８】
以下、図面を参照して、本発明の好適な実施形態を例示的に詳しく説明する。ただし、この実施の形態に記載されている構成要素はあくまで例示であり、本発明の技術的範囲は、特許請求の範囲によって確定されるのであって、以下の個別の実施形態によって限定されるわけではない。
【０００９】
＜実施形態１＞
図１は本実施形態の特徴を表すシステム構成図である。１０１は実施形態１のプロジェクタであり、本システムはプロジェクタ１０１とＰＣ（パーソナルコンピュータ）１０２及びデジタルカメラ１０３から構成される。
【００１０】
１０４は近接無線通信ポートであり、１０５は近接無線通信である。デジタルカメラ１０３はプロジェクタ１０１の近接無線通信ポート１０４に近づけることによって近接無線通信１０５を介して通信を行なうことができる。近接無線通信１０５は、電磁誘導を利用した非接触ＩＣカード無線通信やＮＦＣ（Ｎｅａｒ  Ｆｉｅｌｄ  Ｃｏｍｍｕｎｃａｔｉｏｎ）、誘導電界を利用した通信などがある。近接無線通信１０５ではお互いの距離が数センチメートル以内のみ通信が行なえ、通常は通信が可能な距離になると自動的にデータの転送を開始する。
【００１１】
１０６はプロジェクタ１０１とＰＣ１０２を接続し映像信号の伝送を行なう映像信号ケーブルである。映像信号ケーブルの例として、アナログＲＧＢ信号を伝送する為のＤ−Ｓｕｂ１５ピンケーブルやＢＮＣケーブル、デジタルＲＧＢ信号を伝送する為のＤＶＩケーブルなどがある。
【００１２】
図２はプロジェクタ１０１のブロック図である。
【００１３】
２０１はプロジェクタ１０１の制御を行なうプロジェクタ制御部である。プロジェクタ制御部２０１は通常ＣＰＵで構成される。２０２は近接無線通信１０５を行なう近接無線通信部、２０３は近接無線通信の接続及び切断を検出する近接無線検出部である。近接無線検出部２０３では、近接無線通信１０５で通信が行なえる他の機器が近接無線通信圏内に近づくと接続の検出を行なう。逆に近接無線通信圏内から遠ざかると切断の検出を行なう。２０４は近接無線通信部２０２の制御を行なう近接無線通信制御部である。近接無線通信制御部では近接無線通信１０５を介して接続相手からのファイル受信制御も行なう。２０５は画像ファイルの復号化を行い映像信号の出力を行なう画像デコーダである。画像デコーダ２０５では例えばＪＰＥＧ形式で圧縮された画像を復号化してビデオ信号として出力しつづける。２０６は映像入力端子である。通常プロジェクタ１０１が備える入力端子としてはＤ−Ｓｕｂ１５ピンもしくはＢＮＣのケーブルが接続されるアナログＲＧＢ端子やＤＶＩなどのデジタルＲＧＢ端子がある。デジタル信号の映像入力端子は後段にデジタル信号を復号化して映像信号とする機能を持つ。２０７は映像信号の投影する映像投影部である。２０８は画像デコーダ２０５の映像信号と映像入力端子２０６の入力のいずれか一方を映像投影部２０７へ出力する出力映像切替部である。２０９は出力映像切替部２０８の切替制御を行なう切替制御部である。
【００１４】
図３はプロジェクタ１０１の動作を示すフローチャートである。
【００１５】
以下、図１のシステム構成図、図２のブロック図、図３のフローチャートをもとに実施形態１について説明する。
【００１６】
初期状態（Ｓ３０１）としてプロジェクタ１０１はＰＣ１０２と映像ケーブル１０６で接続しており、プロジェクタ１０１はＰＣ１０２の出力画像を投影している。プロジェクタ１０１の内部における映像信号の経路を以下に説明する。映像入力端子２０６から入力された映像信号は出力映像切替部２０８に入力される。初期状態では出力映像切替部２０８は映像入力端子２０６からの映像信号を出力するように切替制御部２０９から制御されている。出力映像切替部２０８から出力された映像信号は映像投影部２０７に入力され投影される。
【００１７】
デジタルカメラ１０３の操作者がデジタルカメラ１０３内部に保存されている画像ファイルの画像を表示したい場合、デジタルカメラ１０３の操作によって表示したい画像ファイルを選択する。通常はデジタルカメラ１０３の表示部に画像ファイルの画像が表示される。その状態でデジタルカメラ１０３をプロジェクタ１０１の近接無線通信ポート１０４に近づける。デジタルカメラ１０３では近接無線通信１０５が可能になったことを検出して選択した画像ファイルをプロジェクタ１０１に対して近接無線通信１０５を介して転送する。
【００１８】
プロジェクタ１０１では、近接無線検出部２０３が近接無線通信１０５の接続を監視しており（Ｓ３０２）、接続を検出した場合は接続相手からの画像ファイルが転送されてくるのを待ち受ける（Ｓ３０３）。
【００１９】
画像ファイルの受信は近接無線通信制御部２０４で行なわれ、受信した画像ファイルは画像デコーダ２０５に転送される。画像デコーダ２０５に送られた画像ファイルは復号化され、画像デコーダ２０５から映像信号として出力され出力映像切替部２０８に入力される（Ｓ３０４）。画像デコーダ２０５の映像信号は、次の画像がデコードされるかプロジェクタ制御部２０１が出力停止の制御を行なうまで出力され続ける。画像デコーダ２０５からの映像信号が入力されると、切替制御部２０９では出力映像切替部２０８を制御して画像デコーダ２０５からの映像信号が映像投影部２０７に出力されるように切り替える（Ｓ３０５）。上記動作による映像投影部２０７はデジタルカメラ１０３から転送されてきた画像ファイルを復号化した映像を投影する。
【００２０】
デジタルカメラ１０３の操作者がデジタルカメラ１０３の画像のプロジェクタ１０１への投影を停止する場合はプロジェクタ１０１の近接無線通信ポート１０４から遠ざける。
【００２１】
プロジェクタ１０１では、近接無線検出部２０３が近接無線通信１０５の切断を監視している（Ｓ３０６）。切断を検出した場合は切替制御部２０９が出力映像切替部２０８を制御して映像入力端子２０６からの映像信号が映像投影部２０７に出力されるように切り替える（Ｓ３０７）。上記動作による映像投影部２０７はＰＣ１０２の出力映像を投影する。
【００２２】
以上のように、プロジェクタ１０１は、ＰＣ等の情報処理装置からの映像信号の表示処理（投影）の最中に、近接無線通信の接続を監視する。そして、デジタルカメラ１０３が近接無線通信の通信圏内に入り（近接無線通信ポートと一定距離に近づき）、近接無線通信が接続されると、近接無線通信を介して受信された画像の表示処理（投影）に切り替える。さらに、デジタルカメラ１０３が近接無線通信の通信圏内から遠ざかり（近接無線通信ポートと一定距離以上離れると）、近接無線通信が切断すると、デジタルカメラの画像を非表示にし、情報処理装置からの映像信号の表示処理（投影）に戻る（再度切り替わる）。
【００２３】
従って、デジタルカメラ１０３の画像を切替操作なしにプロジェクタ１０１に近づけるだけで投影できる。また、１０３を遠ざけるだけで元のＰＣ１０２の画像が投影できる。また、そのための操作も簡易であり、投影した画像を選択した（表示させた）カメラを近接無線通信ポートに近づけたり、遠ざけたりすればよい。図１のように、近接無線通信ポートがプロジェクタの上部に位置する場合は、近接無線通信ポートに置いたり、どけたりすればよい。
【００２４】
＜実施形態２＞
図４は実施形態２のプロジェクタ１０１のブロック図である。
【００２５】
４０１は映像入力端子２０６からの映像を監視している映像入力監視部である。映像入力監視部４０１では映像入力端子２０６に入力される映像に変化が無いかを監視しており一定以上の変化があった場合に画面変化検知イベントを発生する。例えばＰＣ１０２を用いてプレゼンテーションを行なっている場合、あるページで停止している場合は映像入力端子２０６の信号に変化がないので映像入力監視部４０１は画面変化検知イベントを発生しない。次ページを表示した場合には映像入力端子２０６の信号に変化が現れるので映像入力監視部４０１は画面変化検知イベントを発生する。
【００２６】
図５は実施形態２におけるプロジェクタ１０１の動作を示すフローチャートである。
【００２７】
以下、図１のシステム構成図、図４のブロック図、図５のフローチャートをもとに実施形態２について説明する。
【００２８】
実施形態２において、デジタルカメラ１０３を近接無線通信ポート１０４に近づけて、デジタルカメラ１０３の画像を投影するまで（Ｓ３０１からＳ３０５）は実施形態１に記載した通りである。プロジェクタ１０１がデジタルカメラ１０３の画像を投影している時にＰＣ１０２の操作者がポインティングデバイス等を操作し、次ページを表示させるなどしてＰＣ１０２の画面に変化があった場合の動作を以下に示す。
【００２９】
ＰＣ１０２の画面が変化することにより、映像入力端子２０６に入力する映像信号が変化する。映像入力監視部４０１では、映像入力端子２０６の信号の変化を検知すると、画面変化検知イベントを発生する。プロジェクタ１０１のプロジェクタ制御部２０１では映像入力監視部４０１の画面変化検知イベントを監視している（Ｓ５０１）。画面変化検知イベントを検出した場合は切替制御部２０９が出力映像切替部２０８を制御して映像入力端子２０６からの映像信号が映像投影部２０７に出力されるように切り替える（Ｓ３０７）。上記動作により映像投影部２０７にはＰＣ１０２の出力映像が出力され、ＰＣ１０２の出力映像が投影される。
【００３０】
実施形態１の効果に加えて実施形態２によれば、デジタルカメラ１０３をプロジェクタ１０１に近づけた状態でも、ＰＣ１０２の画像を投影できる。そのための操作も簡易であり、ＰＣ１０２の画像を変化させるだけで元のＰＣ１０２の画像が投影できる。即ち、ＰＣ１０２で投影しているページを変化させるなどし、ユーザの意図を反映させて表示画像を切り替えることができる。
【００３１】
＜実施形態３＞
図６は実施形態３のプロジェクタ１０１のブロック図である。
【００３２】
６０１は画像デコーダ２０５からの映像信号と映像入力端子２０６からの映像信号を合成して映像投影部２０７に出力する映像信号合成部である。６０２は映像信号合成部６０１を制御する映像合成制御部である。
【００３３】
図７は実施形態３におけるプロジェクタ１０１の動作を示すフローチャートである。
【００３４】
以下、図１のシステム構成図、図６のブロック図、図７のフローチャートをもとに実施形態３について説明する。
【００３５】
実施形態３のプロジェクタ１０１は実施形態１と比べて、出力映像切替部２０８が映像合成部６０１に、切替制御部２０９が映像合成制御部６０２に替わっている点が異なる。即ち実施形態１では画像コーダ２０５からの映像信号と映像入力端子２０６からの映像信号を切り替えていたのに対して、実施形態３では映像信号を合成している。プロジェクタ１０１の動作としては、映像信号を合成している点以外は実施形態１と同一である。
【００３６】
実施形態３では、プロジェクタ１０１はＰＣ１０２の出力画像を投影している場合にデジタルカメラ１０３の操作者がデジタルカメラ１０３をプロジェクタ１０１の近接無線通信ポート１０４に近づけると以下の動作を行なう。
【００３７】
プロジェクタ１０１では、近接無線検出部２０３が近接無線通信１０５の接続を監視しており（Ｓ３０２）、接続を検出した場合は接続相手からの画像ファイルが転送されてくるのを待ち受ける（Ｓ３０３）。
【００３８】
画像ファイルの受信は近接無線通信制御部２０４で行なわれ、受信した画像ファイルは画像デコーダ２０５に転送される。画像デコーダ２０５に送られた画像ファイルは復号化され画像デコーダ２０５から映像信号として出力され映像合成部６０１に入力される（Ｓ３０４）。画像デコーダ２０５の映像信号は、次の画像がデコードされるかプロジェクタ制御部２０１が出力停止の制御を行なうまで出力され続ける。画像デコーダ２０５からの映像信号を入力すると、映像合成制御部６０２は映像合成部６０１を制御して画像デコーダ２０５からの映像信号と映像入力端子２０６からの映像を合成して新たに映像信号を出力する（Ｓ７０１）。合成された映像信号は映像投影部２０７に出力される。上記動作による映像投影部２０７にはデジタルカメラ１０３から転送されてきた画像ファイルを復号化した映像がＰＣ１０２からの映像に合成されて出力され、この合成映像が投影される。
【００３９】
図８は合成された映像の例である。ＰＣ１０２からの画像８０１の枠内にデジタルカメラ１０３の画像８０２がピクチャ・イン・ピクチャの形式で合成されている。合成方法としてはピクチャ・イン・ピクチャの形式が最適であるが、使い方によっては並列もしくは上下に両画像を並べるように合成してもよい。
【００４０】
デジタルカメラ１０３の操作者がデジタルカメラ１０３の画像の投影を停止する場合は、デジタルカメラ１０３をプロジェクタ１０１の近接無線通信ポート１０４から遠ざける。
【００４１】
プロジェクタ１０１では、近接無線検出部２０３が近接無線通信１０５の切断を監視している（Ｓ３０６）。切断を検出した場合は映像合成制御部６０２が映像合成部６０１を制御して映像入力端子２０６からの映像信号のみが映像投影部２０７に出力されるように制御する（Ｓ７０２）。上記動作により像投影部２０７にはＰＣ１０２の出力映像のみが出力され、ＰＣ１０２の出力映像のみが投影される。
【００４２】
実施形態３では映像合成制御部６０２からの制御によって映像合成部６０１で画像デコーダ２０５からの映像信号を映像入力端子２０６からの映像信号に合成するか否かを制御していた。上記方法以外に、映像合成部６０１は画像デコーダ２０５からの映像信号を映像入力端子２０６からの映像信号に常に合成し、画像デコーダ２０５からの出力をする／しないを制御する方法もある。すなわち近接無線検出部２０３が接続を検出した場合は画像デコーダ２０５の出力を行い、切断を検出した場合は出力を停止する。これにより、接続を検出した場合はデジタルカメラ１０３の画像が合成され、切断を検出した場合はＰＣ１０２の画像のみになる。
【００４３】
実施形態によれば、デジタルカメラ１０３の画像を切替操作なしにデジタルカメラ１０３をプロジェクタ１０１に近づけるだけで投影できる。特に、実施形態３の場合はＰＣ１０２の画像にピクチャ・イン・ピクチャ形式で合成されるので、元のＰＣ１０２の画像も同時に確認できる。また、デジタルカメラ１０３を遠ざけるだけで元のＰＣ１０２の画像のみが投影できる。
【００４４】
＜実施形態４＞
図９実施形態４におけるプロジェクタ１０１のブロック図である。
【００４５】
図１０は実施形態４におけるプロジェクタ１０１の動作を示すフローチャートである。
【００４６】
実施形態２のように、映像入力監視部４０１では映像入力端子２０６に入力される映像に変化がないかを監視しており一定以上の変化があった場合に画面変化検知イベントを発生する。実施形態４では、実施形態３のようにデジタルカメラ１０３から転送されてきた画像ファイルを復号化した映像がＰＣ１０２からの映像に合成されて投影されている状態で映像入力監視部４０１を用いて映像の合成を停止するものである。
【００４７】
以下、図１のシステム構成図、図９のブロック図、図１０のフローチャートをもとに実施形態４について説明する。
【００４８】
実施形態４において、デジタルカメラ１０３を近接無線通信ポート１０４に近づけて、デジタルカメラ１０３の画像とＰＣ１０２の画像を合成して投影するまで（Ｓ３０４）は実施形態３に記載した通りである。プロジェクタ１０１においてＰＣ１０２とデジタルカメラ１０３の合成画像を投影している時にＰＣ１０２の操作者がポインティングデバイス等の操作によって次ページを表示させるなどし、ＰＣ１０２の表示画面に変化があった場合の動作を以下に示す。
【００４９】
ＰＣ１０２の画面が変化することにより、映像入力端子２０６に入力する映像信号が変化する。映像入力監視部４０１では、映像入力端子２０６の信号の変化を検知すると、画面変化検知イベントを発生する。プロジェクタ１０１のプロジェクタ制御部２０１では映像入力監視部４０１の画面変化検知イベントを監視している（Ｓ５０１）。画面変化検知イベントを検出した場合は映像合成制御部６０２が映像合成部６０１を制御して映像入力端子２０６からの映像信号のみが映像投影部２０７に出力されるように制御する（Ｓ１００１）。上記動作による映像投影部２０７にはＰＣ１０２の出力映像のみが出力され、ＰＣ１０２の出力映像が投影される。
【００５０】
実施形態３と同様に、映像合成部６０１は画像デコーダ２０５からの映像信号を映像入力端子２０６からの映像信号に常に合成し、画像デコーダ２０５からの出力をする／しないを制御する方法もある。
【００５１】
本実施形態によれば、デジタルカメラ１０３内の画像ファイルを切替操作なしにデジタルカメラ１０３をプロジェクタ１０１に近づけるだけでに投影できる。特に、ＰＣ１０２の画像にピクチャ・イン・ピクチャ形式で合成されるので、元のＰＣ１０２の画像も同時に確認できる。更に、ＰＣ１０２の画像が変化するだけで元のＰＣ１０２の画像のみが投影されるので、ＰＣ１０２の画像表示への切り替えも簡単に行える。即ち、ＰＣ１０２で投影しているページを変化させるなど、ユーザの意図を反映させて表示画像を切り替えることができる。
【００５２】
＜実施形態５＞
実施形態５は、実施形態３及び実施形態４のようにデジタルカメラ１０３の画像とＰＣ１０２の映像とを合成して投影している状態でのデジタルカメラ１０３の画像の大きさを変える。
【００５３】
図１１は実施形態３において実施形態５を実施した場合のプロジェクタ１０１のブロック図である。図１２は実施形態４において実施形態５を実施した場合のプロジェクタ１０１のブロック図である。
【００５４】
１１０１は近接無線通信１０５の電界強度（電波強度）を検出する電界強度検出部である。電界強度検出部１１０１は、電界強度の大きさを判別し、映像合成制御部６０２に通知する。
【００５５】
以下、実施形態５を図１１及び図１２のブロック図及び図８を用いて説明する。
【００５６】
図１１もしくは図１２において、電界強度検出部１１０１は近接無線通信１０５の電界強度を監視している。電界強度検出部１１０１において、電界強度が現在より大きくなったことを検出した場合は、映像合成制御部６０２は図８のデジタルカメラの画像８０２を現在の表示状態よりも大きくなるように合成する。電界強度検出部１１０１において、電界強度が現在より小さくなったこと大きくなったことを検出した場合は、映像合成制御部６０２は図８のデジタルカメラの画像８０２を現在の表示状態よりも大きくなるように合成する。つまり、デジタルカメラ１０３を近接無線通信ポートに近づけたり、遠ざけたりして近接無線通信１０５の電界強度を変化させると、電界強度に応じて合成画像の中のデジタルカメラ１０３の画像の表示を大きくしたり、小さくしたりできる。
【００５７】
本実施形態によれば、デジタルカメラ１０３をプロジェクタ１０１近づけたり遠ざけたりすることによって自動的にデジタルカメラ１０３の画像の大きさを変化させることができ、簡単に表示の大きさを調整できる。
【００５８】
＜実施形態６＞
実施形態１〜５では近接無線通信部２０２はプロジェクタ１０１に内蔵されているが、図１３のように近接無線通信部接続ケーブル１３０１で近接無線通信部２０２が接続されている形式でもよい。このような構成にすれば、プロジェクタ１０１と離れた位置に近接無線通信ポートを設置することができ、操作性をより向上することができる。例えば、プロジェクタが天井に吊るしてあっても、デジタルカメラの所有者と離れた位置に設置してあっても、実施形態１〜５を実施することができる。
【００５９】
映像入力端子２０６に入力する映像信号はＰＣ１０２以外の機器でもよい。また映像入力端子２０６はプロジェクタ１０１に複数ある場合でも同様の動作で同様の効果がある。
【００６０】
近接無線通信１０５で接続する機器は画像ファイルを格納できる機器であればデジタルカメラ１０３以外の機器でも同様の効果が得られる。例えば、携帯電話やＰＤＡやモバイルストレージなどでもよい。
【００６１】
実施形態１〜５では無線インタフェースとして電磁誘導を利用した非接触ＩＣカード無線通信やＮＦＣや誘導電界を利用した通信などの近接無線通信１０５を使用しているが他の無線通信でもよい。例えば、無線ＬＡＮやＢｌｕｅｔｏｏｔｈなどでもよい。
【００６２】
また、本システムは表示装置としてプロジェクタ１０１を使用しているが、液晶ディスプレイやモバイルディスプレイなどの他の表示装置でも同様の効果が得られる。
【００６３】
本発明は前述の機能を実現するコンピュータプログラムコードを記録した記録媒体をシステムあるいは装置に供給し、システムあるいは装置のコンピュータ（ＣＰＵ、ＭＰＵ）が記録媒体に格納されたプログラムコードを読み出し実行するようにしてもよい。この場合、記憶媒体から読み出されたプログラムコード自体が前述した実施形態の機能を実現することとなり、そのプログラムコードを記憶した記憶媒体は本発明を構成することになる。
【００６４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６５】
また、コンピュータが読み出したプログラムコードを実行することにより、前述の機能が実現されるだけでなく、そのプログラムコードの指示に基づき、コンピュータ上で稼動しているＯＳが実際の処理の一部または全部を行い、前述の機能を実現してもよい。ＯＳとは、Operating Systemの略である。
【００６６】
さらに、記憶媒体から読み出されたプログラムコードを、コンピュータに挿入された機能拡張ボードやコンピュータに接続された機能拡張ユニットに備わるメモリに書き込む。そして、そのプログラムコードの指示に基づき、機能拡張ボードや機能拡張ユニットに備わるＣＰＵが実際の処理の一部または全部を行い、前述の機能を実現してもよい。
【図面の簡単な説明】
【００６７】
【図１】本発明のシステム構成図である。
【図２】本発明の実施形態１におけるプロジェクタ１０１のブロック図である。
【図３】本発明の実施形態１におけるプロジェクタ１０１の動作を示すフローチャートである。
【図４】本発明の実施形態２におけるＰＣ１０１のブロック図である。
【図５】本発明の実施形態２におけるプロジェクタ１０１の動作を示すフローチャートである。
【図６】本発明の実施形態２におけるＰＣ１０１のブロック図である。
【図７】本発明の実施形態３におけるプロジェクタ１０１の動作を示すフローチャートである。
【図８】合成された映像の例を示す図である。
【図９】本発明の実施形態４におけるプロジェクタ１０１のブロック図である。
【図１０】本発明の実施形態４におけるプロジェクタ１０１の動作を示すフローチャートである。
【図１１】実施形態３において実施形態５を実施した場合のプロジェクタ１０１のブロック図である。
【図１２】実施形態４において実施形態５を実施した場合のプロジェクタ１０１のブロック図である。
【図１３】本発明の実施携帯１におけるプロジェクタ１０１のブロック図である。
【符号の説明】
【００６８】
１０１    プロジェクタ
１０４    近接無線通信ポート
１０５    近接無線通信
２０１    プロジェクタ制御部
２０２    近接無線通信部
２０３    近接無線検出部
２０４    近接無線通信制御部
２０５    画像デコーダ
２０６    映像入力端子
２０７    映像投影部
２０８    出力映像切替部
２０９    切替制御部
４０１    映像入力監視部
６０１    映像信号合成部
６０２    映像合成制御部
１１０１  電界強度検出部
【図１】
2010008937.tif 000003
【図２】
2010008937.tif 000004
【図３】
2010008937.tif 000005
【図４】
2010008937.tif 000006
【図５】
2010008937.tif 000007
【図６】
2010008937.tif 000008
【図７】
2010008937.tif 000009
【図８】
2010008937.tif 000010
【図９】
2010008937.tif 000011
【図１０】
2010008937.tif 000012
【図１１】
2010008937.tif 000013
【図１２】
2010008937.tif 000014
【図１３】
2010008937.tif 000015